(57)【要約】【課題】扱室の排藁口から揺動選別棚の前部ストローラックへの藁屑類の排出を円滑にし、前部ストローラックでの藁屑類の選別を良好にする。【解決手段】扱室の下方には受網から漏下した脱穀物及び後部の排塵口から排出された穀粒の混じった藁屑類を揺動移送しながら篩い選別する上部の粗選別部と下部の精選別部の設けられている揺動選別棚を設ける。粗選別部の前部ストローラックの前側部を扱室後部の排塵口下方に臨ませ、前部ストローラックを前後方向に沿った短い短ストローラックと前後方向に長い長ストローラックを左右に交互に並列配置する。長ストローラックの選別移送面を緩い後上り傾斜に、短ストローラックを長ストローラックより急傾斜の後上りにし、長ストローラックの後側への移送力を短ストローラックよりも大に構成し、揺動選別棚の左右両側部には長ストローラックを配置する。【選択図】図１
2005333822.tif 000002
【特許請求の範囲】
【請求項１】
扱室２の下方には受網４から漏下した脱穀物及び後部の排塵口２ａから排出した穀粒の混じった藁屑類を揺動移送しながら篩い選別する上部の粗選別部Ａと下部の精選別部Ｂを具備する揺動選別棚１０を設け、前記粗選別部Ａの前部ストローラック１９の前側部を扱室２後部の排塵口２ａ下方に臨ませ、前記前部ストローラック１９は前後方向に沿った短い短ストローラック１９ａ，…と前後方向に長い長ストローラック１９ｂ，…を左右交互に並列配置した構成とし、前記長ストローラック１９ｂ，…の選別移送面を緩い後上り傾斜に、前記短ストローラック１９ａ，…の選別移送面を長ストローラック１９ｂ，…よりも後上りの急傾斜に構成して、長ストローラック１９ｂ，…を短ストローラック１９ａ，…よりも後方への移送力を大に構成し、前部ストローラック１９の左右両側部には長ストローラック１９ｂ，…を配置したことを特徴とする脱穀装置の揺動選別装置。
【請求項２】
扱室２の下方には受網４から漏下した脱穀物及び後部の排塵口２ａから排出した穀粒の混じった藁屑類を揺動移送しながら篩い選別する上部の粗選別部Ａと下部の精選別部Ｂを具備する揺動選別棚１０を設け、前記粗選別部Ａの前部ストローラック１９の前側部を扱室２後部の排塵口２ａ下方に臨ませ、前部ストローラック１９における扱胴３の回転方向上手側に対向する部分には短ストローラック１９ａと長ストローラック１９ｂを左右交互に並列配置し、扱胴３の回転方向下手側に対向する部分には複数の長ストローラック１９ｂ，…を並列配置し、前記長ストローラック１９ｂ，…の選別移送面を緩い後上り傾斜に、短ストローラック１９ａ，…を長ストローラック１９ｂ，…よりも後上り急傾斜に構成して、長ストローラック１９ｂ，…を短ストローラック１９ａ，…よりも後方への移送力を大に構成し、扱室２における回転方向下手側の後側壁２ｂには中央側に向けて下り傾斜の傾斜案内板２３を設け、該傾斜案内板２３の下端部を前記長ストローラック１９ｂ，…の並列配置部分に臨ませたことを特徴とする脱穀装置の揺動選別装置。
【請求項３】
扱室２の下方には受網４から漏下した脱穀物及び後部の排塵口２ａから排出した穀粒の混じった藁屑類を揺動移送しながら篩い選別する上部の粗選別部Ａと下部の精選別部Ｂを具備する揺動選別棚１０を設け、前記粗選別部Ａの前部ストローラック１９の前側部を扱室２後部の排塵口２ａ下方に臨ませると共に、前部ストローラック１９の前側部分を緩い後下り傾斜に構成し後側部分を緩い後上り傾斜に構成し、前記前部ストローラック１９は前後方向に沿った短い短ストローラック１９ａ，…と前後方向に長い長ストローラック１９ｂ，…を左右交互に並列配置した構成とし、前記長ストローラック１９ｂ，…の選別移送面を緩い後上り傾斜に、短ストローラック１９ａ，…を長ストローラック１９ｂ，…よりも後上り急傾斜に構成して、長ストローラック１９ｂ，…の後方への移送力を短ストローラック１９ａ，…よりも大に構成したことを特徴とする脱穀装置の揺動選別装置。
【発明の詳細な説明】
【技術分野】
【０００１】
本発明は、脱穀装置の揺動選別装置におけるストローラックに関するものである。
【背景技術】
【０００２】
脱穀装置の揺動選別装置において、扱室後部の送塵口から排出された藁屑類を受けて比重選別しながら後方に移送するグレンパンを備え、グレンパンの上方に第１ストローラックを配置したものは公知である（特許文献１）。
【特許文献１】特開平８−２２８５７２号公報
【発明の開示】
【発明が解決しようとする課題】
【０００３】
従来技術のグレンパンの上方に設けた第１ストローラックは、左右方向に高低のストローラックを並列配置し、高低のストローラックの後方への移送ピッチを略同じに構成したものである。従って、高低のストローラックに受けられた藁屑類が揺動されながら略同じ速度で後側に移送されるため、藁屑類のさばきが不十分となり、藁屑類に穀粒が混じったままで機外に排出されるという不具合が発生していた。
【０００４】
そこで、この発明は、ストローラックでの藁屑類のさばきを良好にすると共に、藁屑類の移送を円滑にして前記のような不具合を解消しようとするものである。
【課題を解決するための手段】
【０００５】
前記問題点を解決するために、この発明は次のような技術的手段を講じた。
【０００６】
請求項１の発明は、扱室２の下方には受網４から漏下した脱穀物及び後部の排塵口２ａから排出した穀粒の混じった藁屑類を揺動移送しながら篩い選別する上部の粗選別部Ａと下部の精選別部Ｂを具備する揺動選別棚１０を設け、前記粗選別部Ａの前部ストローラック１９の前側部を扱室２後部の排塵口２ａ下方に臨ませ、前記前部ストローラック１９は前後方向に沿った短い短ストローラック１９ａ，…と前後方向に長い長ストローラック１９ｂ，…を左右交互に並列配置した構成とし、前記長ストローラック１９ｂ，…の選別移送面を緩い後上り傾斜に、前記短ストローラック１９ａ，…の選別移送面を長ストローラック１９ｂ，…よりも後上りの急傾斜に構成して、長ストローラック１９ｂ，…を短ストローラック１９ａ，…よりも後方への移送力を大に構成し、前部ストローラック１９の左右両側部には長ストローラック１９ｂ，…を配置したことを特徴とする脱穀装置の揺動選別装置とする。
【０００７】
前記構成によると、扱室２の受網４から漏下した脱穀物及び扱室２後部の排塵口２ａから排出した穀粒の混じった藁屑類は、上部の粗選別部Ａと下部の精選別部Ｂにより揺動選別され、穀粒・二番物及び藁屑類に分離選別される。その揺動選別の際に、前部ストローラック１９の長ストローラック１９ｂ，…、短ストローラック１９ａ，…の前側部には扱室２後部の排塵口２ａから穀粒の混じった藁屑類が排出され、藁屑類は緩い後上り傾斜の長ストローラック１９ｂ，…により速く後方に移送され、また、後上り急傾斜の短ストローラック１９ａ，…により上方に高く持ち上げられながらゆっくり後方に移送されて、藁屑類は前後及び上下にさばかれながら後側に送られる。また、前部ストローラック１９の左右両側部に排出された藁屑類は長ストローラック１９ｂ，…により迅速に後方へ移送される。
【０００８】
請求項２の発明は、扱室２の下方には受網４から漏下した脱穀物及び後部の排塵口２ａから排出した穀粒の混じった藁屑類を揺動移送しながら篩い選別する上部の粗選別部Ａと下部の精選別部Ｂを具備する揺動選別棚１０を設け、前記粗選別部Ａの前部ストローラック１９の前側部を扱室２後部の排塵口２ａ下方に臨ませ、前部ストローラック１９における扱胴３の回転方向上手側に対向する部分には短ストローラック１９ａと長ストローラック１９ｂを左右交互に並列配置し、扱胴３の回転方向下手側に対向する部分には複数の長ストローラック１９ｂ，…を並列配置し、前記長ストローラック１９ｂ，…の選別移送面を緩い後上り傾斜に、短ストローラック１９ａ，…を長ストローラック１９ｂ，…よりも後上り急傾斜に構成して、長ストローラック１９ｂ，…を短ストローラック１９ａ，…よりも後方への移送力を大に構成し、扱室２における回転方向下手側の後側壁２ｂには中央側に向けて下り傾斜の傾斜案内板２３を設け、該傾斜案内板２３の下端部を前記長ストローラック１９ｂ，…の並列配置部分に臨ませたことを特徴とする脱穀装置の揺動選別装置とする。
【０００９】
前記構成によると、扱室２の受網４から漏下した脱穀物及び扱室２後部の排塵口２ａから排出した穀粒の混じった藁屑類は、上部の粗選別部Ａと下部の精選別部Ｂにより揺動選別されて、穀粒・二番物及び藁屑類に分離選別される。その揺動選別の際に、扱室２後部の排塵口２ａから穀粒の混じった藁屑類が、扱胴３の回転方向上手側に対向する短ストローラック１９ａと長ストローラック１９ｂを左右交互に並列配置した部分の前側部、及び、扱胴３の回転方向下手側の長ストローラック１９ｂ，…を並列配置した部分の前側部に排出され、藁屑類は緩い後上り傾斜の長ストローラック１９ｂ，…により速く後方に移送され、また、後上り急傾斜の短ストローラック１９ａ，…により上方に高く持ち上げられながらゆっくり後方に移送されて、藁屑類は前後及び上下にさばかれながら移送選別される。また、扱室２内の藁屑類は傾斜案内板２３により中央側に向けて案内されて長ストローラック１９ｂ，…の並列配置部分に落下し、長ストローラック１９ｂ，…により迅速に後側に移送される。
【００１０】
請求項３の発明は、扱室２の下方には受網４から漏下した脱穀物及び後部の排塵口２ａから排出した穀粒の混じった藁屑類を揺動移送しながら篩い選別する上部の粗選別部Ａと下部の精選別部Ｂを具備する揺動選別棚１０を設け、前記粗選別部Ａの前部ストローラック１９の前側部を扱室２後部の排塵口２ａ下方に臨ませると共に、前部ストローラック１９の前側部分を緩い後下り傾斜に構成し後側部分を緩い後上り傾斜に構成し、前記前部ストローラック１９は前後方向に沿った短い短ストローラック１９ａ，…と前後方向に長い長ストローラック１９ｂ，…を左右交互に並列配置した構成とし、前記長ストローラック１９ｂ，…の選別移送面を緩い後上り傾斜に、短ストローラック１９ａ，…を長ストローラック１９ｂ，…よりも後上り急傾斜に構成して、長ストローラック１９ｂ，…の後方への移送力を短ストローラック１９ａ，…よりも大に構成したことを特徴とする脱穀装置の揺動選別装置とする。
【００１１】
前記構成によると、扱室２の受網４から漏下した脱穀物及び扱室２後部の排塵口２ａから排出した穀粒の混じった藁屑類は、上部の粗選別部Ａと下部の精選別部Ｂにより揺動選別されて、穀粒・二番物及び藁屑類に分離選別される。扱室２からの藁屑類は前部ストローラック１９の前側部分の緩い後下りに傾斜した部分に落下して停滞せずに円滑に後方に移送され、また、排出された藁屑類は緩い後上り傾斜の長ストローラック１９ｂ，…により速く後方に移送され、また、後上りの急傾斜の短ストローラック１９ａ，…により上方に高く持ち上げられながらゆっくり後方に移送されて、藁屑類は前後及び上下にさばかれながら後側に移送され選別される。
【発明の効果】
【００１２】
請求項１の発明は、揺動選別棚１０の前部ストローラック１９に排出された藁屑類は前後及び上下に大きくさばかれながら後方に移送されつつ選別されるので、藁屑類と穀粒との分離が促進され、また、前部ストローラック１９の左右両側部の藁屑類は長ストローラック１９ｂ，…により迅速に後方へ送られ選別を円滑化することができる。
【００１３】
請求項２の発明は、揺動選別棚１０の前部ストローラック１９に排出された藁屑類は前後及び上下に大きくさばかれながら選別されるので、藁屑類と穀粒との分離が促進され、また、扱室２内の藁屑類は傾斜案内板２３により長ストローラック１９ｂ，…の並列配置部分に落下し迅速に後方に移送されるので、藁屑類の停滞が回避されて扱胴３での藁屑類の付き回りを少なくし、扱室２内の異音の発生を防止することができる。
【００１４】
請求項３の発明は、扱室２から揺動選別棚１０の前部ストローラック１９に排出された藁屑類の後方への移送が円滑になり、また、藁屑類は前後及び上下に大きくさばかれながら選別され藁屑類と穀粒との分離が促進され、また、扱胴３の藁屑類の付き回りが少なくなり、排藁への穀粒の刺さりを少なくすることができる。
【発明を実施するための最良の形態】
【００１５】
（実施例１）
【００１６】
以下本発明の実施の一形態を図面に基づき説明する。
【００１７】
図１はコンバインの脱穀部全体の切断側面図を示し、図２は脱穀部全体の切断背面図を示している。脱穀部は、フィードチエン（図示省略）により穀稈の株元を挟持しながら搬送して穂先部を扱室２内に挿入して回転駆動される扱歯３ａ，…付きの扱胴３により脱穀するように構成し、脱穀処理されて受網４を漏下した脱穀処理物を下方の選別部５で穀粒、穀稈付き穀粒等の二番物及び藁屑類に選別し、選別された穀粒を一番揚穀機（図示省略）によりグレンタンク（図示省略）に揚穀貯溜し、選別された二番物を二番揚穀機（図示省略）により扱室２に還元して再度脱穀処理し、選別された藁屑類を選別部５の後部から排塵ファン８により機外に排出するように構成している。
【００１８】
次に、選別部５について説明する。
【００１９】
選別部５は、扱室２の受網４から漏下した脱穀物を揺動移送しながら篩い選別する揺動選別棚１０と、この揺動選別棚１０に選別風を供給して脱穀物を風選し藁屑類を後方に吹き飛ばす唐箕１１と、選別された穀粒を受ける一番ラセン１１ａ付き一番受樋１２と、選別された二番物を受ける二番ラセン１３ａ付き二番受樋１３と、揺動選別棚１０で選別されて後側に吹き飛ばされた藁屑類を機外に排出する排塵ファン８等により構成されている。
【００２０】
次に、揺動選別棚１０について説明する。この揺動選別棚１０は、スライド支持機構１４と揺動機構１５により揺動される平面長方形状の中抜き揺動選別枠体１０ａと、揺動選別枠体１０ａの内側上部に設けた粗選別部Ａと、揺動選別枠体１０ａの内側下部に設けた精選別部Ｂで構成している。
【００２１】
この粗選別部Ａは、前側から後側にかけて、移送突起付きの穀粒移送板１６と、網体で構成されていて穀粒の漏下するグレンシーブ１７と、チャフシーブ１８と、チャフシーブ１８の上方に設けた前部ストローラック１９と、チャフシーブ１８の後側に位置する後部ストローラック２０により構成されていて、扱室２から漏下した脱穀物を受けて揺動移送しながら粗選別する構成である。
【００２２】
そして、チャフシーブ１８は、横軸芯回りに回動調節自在の複数のチャフ板１８ａ，…を左右方向に沿わせて並列配置し、各チャフ板１８ａ，…をチャフシーブ連動板（図示省略）に連係し、例えば、調整モータ（図示省略）によりチャフシーブ連動板（図示省略）を前後移動し、チャフ板１８ａ，…の傾斜角度を緩急に調整するように構成している。
【００２３】
中抜き揺動選別枠体１０ａの内側下部には、前側の穀粒受け板２１と後側の選別網２２で構成されている精選別部Ｂを設け、粗選別部Ａから漏下した穀粒を主体とする被選別物を揺動移送しながら選別し、穀粒を前側の一番受樋１２に選別漏下し、二番物を後側の二番受樋１３に落下選別するように構成している。
【００２４】
次に、前部ストローラック１９について具体的に説明する。
【００２５】
前部ストローラック１９の前端部を扱室２の後側の排塵口２ａの下方に臨ませて送塵口２ａから藁屑類を受けるように構成している。そして、前部ストローラック１９は前後方向に沿った短い短ストローラック１９ａ，…と前後方向に沿った長い長ストローラック１９ｂ，…とを左右交互に並列配置し、長ストローラック１９ｂ，…の後側端部を前記一番受樋１２の選別棚板１２ｂの後側端部上方まで延出している。また、長ストローラック１９ｂ，…の選別移送面を緩い後上り傾斜に構成して、その後側端部を側面視で前記排塵ファン８の吸入口８ａ近傍まで延出し、短ストローラック１９ａ，…を長ストローラック１９ｂ，…よりも後上りの急傾斜に構成して、その後側端部を長ストローラック１９ｂ，…の前後中途部まで延出している。
【００２６】
そして、長ストローラック１９ｂ，…と短ストローラック１９ａ，…の移送ピッチを例えば同じに構成して、長ストローラック１９ｂ，…の後側への移送力を短ストローラック１９ａ，…よりも大にして、揺動選別棚１０の左右両端部には移送力大の長ストローラック１９ｂ，…を配置し、短ストローラック１９ａ，…は長ストローラック１９ｂに比較して後側への移送力は小であるが上方への移送力は大であるように構成している。
【００２７】
しかして、扱室２の送塵口２ａから排出された藁屑類が前部ストローラック１９の前側部に排出されると、左右に交互に配置されている後側への移送力大の長ストローラック１９ｂ，…と後側への移送力小の短ストローラック１９ａ，…により、藁屑類は上下方向及び前後方向にほぐされながら移送選別され、穀粒、二番物や短い藁屑類は下方に選別落下され、残余の藁屑類は長ストローラック１９ｂ，…の後側端部から放出され排塵ファン８により吸引されて機外へ排出される。また、前部ストローラック１９の左右両端部には後側への移送力大の長ストローラック１９ｂ，…を配置したので、左右両端部での藁屑類の停滞を防止し、塊状で排出されるのを防止し、藁屑類を円滑に選別することができる。
【００２８】
また、前部ストローラック１９を図１及び図６のように構成してもよい。即ち、長ストローラック１９ｂ，…及び短ストローラック１９ａ，…により前部ストローラック１９を構成するにあたり、扱胴３の回転方向（反時計方向）上手側部分には短ストローラック１９ａと長ストローラック１９ｂを左右交互に並列配置し、扱胴３の回転方向下手側部分には長ストローラック１９ｂ，…を複数並列配置する。そして、扱室２の後側壁２ｂの後側部分には外周部から中央部側に向けて案内する傾斜案内板２３を設けている。この傾斜案内板２３を図１に示すように側面視で、その前側部分は扱室２の後側端部に対応し、その後側部分は扱室２からはみ出して前部ストローラック１９の中途部上方にまで延出するようにし、その下端部を長ストローラック１９ｂ，…を複数並列配置した部分に臨ませている。
【００２９】
このように構成することにより、扱室２内の藁屑類が傾斜案内板２３により案内されて長ストローラック１９ｂ，…を並列配置した部分に落下すると、長ストローラック１９ｂ，…の強い移送力により迅速に後側に送られ、藁屑類の停滞を回避し扱胴３での付き回りが防止される。従って、脱穀穀稈への穀粒のささりを防止し、扱室２内の異音の発生を防止することができる。
【００３０】
また、図３に示すように、長ストローラック１９ｂ，…には後上りの緩傾斜の移送ラックを構成し、短ストローラック１９ａ，…には後上りの急傾斜の移送ラックを構成し、且つ、長ストローラック１９ｂ，…の後側への移送力を短ストローラック１９ａ，…よりも大に構成し、揺動選別棚１０の左右両端部には移送力の大の長ストローラック１９ｂ，…を配置するように構成してもよい。
【００３１】
このように構成することにより、相互に隣り合った短・長ストローラック１９ａ，…、１９ｂ，…の後側への移送力及び上方への上昇力の差を大きくし、藁屑類のさばき量を更に大きくし、藁屑類から穀粒の落下を促進し穀粒ロスを少なくすることができる。
【００３２】
なお、短ストローラック１９ａの扱胴３の後側端部下方に対向する部分のみ移送ピッチを長ストローラック１９ｂの移送ピッチと同様に大きく構成してもよい。このように構成することにより、扱胴３の後側端部での藁屑類の停滞を防止し、前部ストローラック１９での藁屑類のさばきを良好にしながら選別することができる。
【００３３】
また、前部ストローラック１９を図４に示すように構成してもよい。即ち、長ストローラック１９ｂ，…と短ストローラック１９ａ，…を左右交互に並列配置し、短・長ストローラック１９ａ，…、１９ｂ，…における前側部分の選別移送面を緩い後下り傾斜に構成すると共に、短・長ストローラック１９ａ，…、１９ｂ，…の移送ピッチを略同じの大きな移送力に構成し、短ストローラック１９ａ，…の後側部分を長ストローラック１９ｂ，…よりも急な後上り傾斜に構成し、左右両端部には移送力大の長ストローラック１９ｂ，…を配置するように構成する。
【００３４】
前記のように構成することにより、扱胴３の後側部分から前部ストローラック１９への藁屑類の受渡しが停滞せずに円滑化し、扱胴３の藁屑類の付き回りが少なくなり、排藁への穀粒の刺さりを少なくすることができる。
【００３５】
次に、図５に基づき粗選別部Ａの他の実施例について説明する。
【００３６】
前部ストローラック１９を前記実施例と同様に長ストローラック１９ｂ，…及び短ストローラック１９ａ，…を左右に並列配置にて構成し、その前端部を扱室２の後側の排塵口２ａ下方に臨ませている。そして、一番受樋１２の棚板１２ｂの後側端部を長ストローラック１９ｂ，…の後側端部よりも更に後側に位置するように構成し、また、チャフシーブ１８の後側端部を長ストローラック１９ｂ，…の後側端部、及び、一番受樋１２の棚板１２ｂ後側端部よりも更に後側に位置するように構成し、チャフシーブ１８における各チャフ板１８ａ，…の前後方向の間隔を、前部ストローラック１９の前側の短ストローラック１９ａ，…の下方に位置している部分を急傾斜にして幅広に構成し、短ストローラック１９ａ，…の後側端部よりも後側に位置している部分を緩傾斜にして幅狭に構成する。
【００３７】
このように構成することにより、前部ストローラック１９の前側の藁屑類の多い短ストローラック１９ａ，…の部分には、唐箕１１から幅広のチャフ板１８ａ，…を通過して強い選別風が送られ、また、チャフシーブ１８の藁屑類の少ない後側の短ストローラック１９ａの後側端部よりも後側の部分には幅狭のチャフ板１８ａ，…を通過した弱い選別風が送られて、藁屑類が選別される。従って、前部ストローラック１９に藁屑類の多少に比例した選別風が送られて前部ストローラック１９での選別性能を向上させることができ、穀粒の選別ロスを少なくすることができる。
【００３８】
次に、図１及び図７に基づき揺動選別棚１０の揺動構成について説明する。
【００３９】
揺動選別棚１０の後部両側における二番受樋１３の棚板１３ｂの下方部位には、左右の取付板２４，２４を下方に向けて突出するように取り付け、取付板２４，２４の先端部にローラ２５，２５を取り付けている。また、左右の機体フレーム２６，２６の後部左右両側における二番受樋１３の棚板１３ｂの下方部位に後上りに傾斜したレール２７，２７を設け、このレール２７，２７に前記ローラ２５，２５を嵌合している。
【００４０】
また、機体フレーム２６，２６の前部左右両側には揺動アーム２８，２８の下部を軸支し、揺動アーム２８，２８の上端部を揺動選別棚１０の前部左右両側に枢支連結し、機体フレーム２６，２６にはクランク軸２９を軸架し、クランク軸２９のクランク部と揺動アーム２８，２８の中途部との間にクランクアーム３０，３０でピン連結している。
【００４１】
従来構成として、例えば、図１の仮想線及び図７にに示すように、一番受樋１２の側方に左右のレール２７ｘ，２７ｘを設け、揺動選別棚１０の左右両側部に設けたローラ２５ｘ，２５ｘを左右のレール２７ｘ，２７ｘに嵌合するものがある。このような構成であると、左右のレール２７ｘ，２７ｘとローラ２５ｘ，２５ｘとの摺動部分に穀粒が入り込み砕米の原因になったり、また、レール２７ｘ，２７ｘを設ける部分の一番受樋１２の棚板１２ｂが幅狭となり、選別能力が低下するという不具合が発生していた。しかし、前記のように構成することにより、このような不具合を解消することができる。
【図面の簡単な説明】
【００４２】
【図１】脱穀部全体の切断側面図。
【図２】脱穀部全体の切断背面図。
【図３】揺動選別装置の要部の切断側面図。
【図４】揺動選別装置の要部の切断側面図。
【図５】揺動選別装置の要部の切断側面図。
【図６】扱胴と前部ストローラック部分の切断背面図。
【図７】従来装置の揺動選別棚の支持機構を示す図１のＳ１−Ｓ１線で切断した背面          図。
【符号の説明】
【００４３】
２      扱室
２ａ    排塵口
２ｂ    後側壁
４      受網
１０      揺動選別棚
１１      唐箕
１９      前部ストローラック
１９ａ    短ストローラック
１９ｂ    長ストローラック
２３      傾斜案内板
Ａ      粗選別部
Ｂ      精選別部
【図１】
2005333822.tif 000003
【図２】
2005333822.tif 000004
【図３】
2005333822.tif 000005
【図４】
2005333822.tif 000006
【図５】
2005333822.tif 000007
【図６】
2005333822.tif 000008
【図７】
2005333822.tif 000009